(57)【要約】【課題】優れた洗浄力と泡立ちを有し、泡切れのよい液体洗浄剤組成物を提供する。【解決手段】式（１）で表される非イオン性界面活性剤（ａ１）、式（２）で表される非イオン性界面活性剤（ａ２）、および、式（３）で表されるアニオン性界面活性剤（ｂ）を含有する液体洗浄剤組成物である（式中、Ｒ１，Ｒ２は、炭素数８〜１４のアルキル基又はアルケニル基、Ｒ３は炭素数１０〜１８のアルキル基又はアルケニル基。ＰＯはオキシプロピレン基、ＥＯはオキシエチレン基。ｍ＝４〜８、ｎ＝６〜２０、ｏ＝４〜８、ｐ＝６〜２０、ｑ＝４〜８、ｒ＝５〜１０）。    Ｒ１Ｏ−（ＰＯ）ｍ−（ＥＯ）ｎ−Ｈ    （１）    Ｒ２Ｏ−（ＰＯ）ｏ−〔（ＥＯ）ｐ／（ＰＯ）ｑ〕−Ｈ    （２）    Ｒ３Ｏ−（ＥＯ）ｒ−ＣＨ２ＣＯＯＮａ    （３）【選択図】なし【特許請求の範囲】
【請求項１】
下記一般式（１）で表される非イオン性界面活性剤（ａ１）、下記一般式（２）で表される非イオン性界面活性剤（ａ２）、および、下記一般式（３）で表されるアニオン性界面活性剤（ｂ）を含有する液体洗浄剤組成物。
Ｒ１Ｏ−（ＰＯ）ｍ−（ＥＯ）ｎ−Ｈ    （１）
Ｒ２Ｏ−（ＰＯ）ｏ−〔（ＥＯ）ｐ／（ＰＯ）ｑ〕−Ｈ    （２）
Ｒ３Ｏ−（ＥＯ）ｒ−ＣＨ２ＣＯＯＮａ    （３）
（式中、Ｒ１およびＲ２は、それぞれ炭素数８〜１４の直鎖または分岐のアルキル基またはアルケニル基を示し、Ｒ３は炭素数１０〜１８の直鎖または分岐のアルキル基またはアルケニル基を示す。ＰＯはオキシプロピレン基を示し、ＥＯはオキシエチレン基を示す。ｍ、ｎ、ｏ、ｐ、ｑおよびｒは、ＰＯまたはＥＯの平均付加モル数を示し、ｍは４〜８の数を、ｎは６〜２０の数を、ｏは４〜８の数を、ｐは６〜２０の数を、ｑは４〜８の数を、ｒは５〜１０の数をそれぞれ示す。また、（ＥＯ）ｐ／（ＰＯ）ｑはＥＯとＰＯの付加形態がランダム付加であることを意味する。）
【請求項２】
前記アニオン性界面活性剤（ｂ）１００質量部に対して、前記非イオン性界面活性剤（ａ１）を５〜１００質量部、および前記非イオン性界面活性剤（ａ２）を５〜１００質量部含有する請求項１に記載の液体洗浄剤組成物。
【請求項３】
前記非イオン性界面活性剤（ａ１）と（ａ２）の配合比が、質量比で、（ａ１）／（ａ２）＝１／０．３〜１／３である請求項１または２に記載の液体洗浄剤組成物。
【請求項４】
硬質表面の洗浄に用いられる請求項１〜３のいずれか１項に記載の液体洗浄剤組成物。
【発明の詳細な説明】
【技術分野】
【０００１】
本発明は、液体洗浄剤組成物に関する。より詳細には、例えば、洗面台、浴室、浴槽などの硬質表面の洗浄に好適に用いることができる液体洗浄剤組成物に関する。
【背景技術】
【０００２】
浴室や浴槽等の汚れは他の住居汚れとはその汚れ成分が異なり、金属石鹸、特に脂肪酸のカルシウム塩によるものが主体である。従来、このような湯垢汚れを除去する浴室用洗浄剤として、酸性物質としてのヒドロキシカルボン酸、界面活性剤及び水溶性溶剤を含有する酸性洗浄剤が知られている（特開昭５２−７７１１１号公報）。しかしながら、従来のこのような酸性洗浄剤は、浴室床等の耐酸性に劣る材質に損傷を与えるおそれがあるという欠点がある。
【０００３】
これに対し、中性領域で洗浄効果を持つ洗浄剤の開発が行われ、特開昭５３−３５７１０号公報（アニオン性界面活性剤、ノニオン性界面活性剤、グリコールエーテル系溶剤、及びクエン酸等の金属イオン封鎖剤を組み合わせた浴室用洗浄剤）、特開昭６１−２８３６９６号公報（カチオン性界面活性剤及び非イオン界面活性剤を組み合わせた中性洗剤）、特開昭６１−２８３６９７号公報（カチオン性界面活性剤、非イオン界面活性剤、及び水溶性溶剤を組み合わせた浴室用洗浄剤）、特開平１−２２１４９７号公報（カチオン性界面活性剤、非イオン性界面活性剤、アミノカルボン酸、及び溶剤を組み合わせた浴室用洗浄剤）、特開平１１−１６９６号公報（非イオン性界面活性剤、ベタイン系界面活性剤、及び含硫黄カルボン酸化合物を組み合わせた液体洗浄剤）、特開平１１−３３５７００号公報（ポリオキシアルキレン基を有するアニオン性又は非イオン性界面活性剤、脂肪酸又はその塩、溶剤、及び金属イオン封鎖剤を組み合わせた浴室用洗浄剤）、特開２００３−１８３６９８号公報（界面活性剤、キレート剤、高分子化合物、溶剤、及び香料を組み合わせた浴室用洗浄剤）等が開示されている。
【０００４】
また、アルカリ領域で洗浄効果を持つ洗浄剤の開発も行われ、特開２０１２−８２４０７号公報（水溶性ケイ酸塩、炭素数８〜１８の脂肪酸又はそのアルカリ金属塩、界面活性剤、金属イオン封鎖剤、及び特定の溶剤を組み合わせたアルカリ系浴室用液体洗浄剤組成物）等が開示されている。
【０００５】
しかしながら、上記各公報に開示された洗浄剤は、複合汚れの洗浄力と泡質、すすぎ性を同時に満足するものではないという課題があり、洗浄力、泡質及びすすぎ性のいずれにも優れた洗浄剤組成物が望まれている。
【先行技術文献】
【特許文献】
【０００６】
【特許文献１】特開昭５２−７７１１１号公報
【特許文献２】特開昭５３−３５７１０号公報
【特許文献３】特開昭６１−２８３６９６号公報
【特許文献４】特開昭６１−２８３６９７号公報
【特許文献５】特開平１−２２１４９７号公報
【特許文献６】特開平１１−１６９６号公報
【特許文献７】特開平１１−３３５７００号公報
【特許文献８】特開２００３−１８３６９８号公報
【特許文献９】特開２０１２−８２４０７号公報
【発明の概要】
【発明が解決しようとする課題】
【０００７】
本発明は、以上の点に鑑み、優れた洗浄力と泡立ちを有し、しかも泡切れがよく、それに伴ってすすぎ性が改善された液体洗浄剤組成物を提供することを目的とする。
【課題を解決するための手段】
【０００８】
本発明者らは、上記課題を解決すべく検討していく中で、特定の非イオン界面活性剤とアニオン界面活性剤を組み合わせることにより、優れた洗浄力と泡立ち性を有しかつ泡切れ性にも優れた液体洗浄剤組成物が得られることを見出し、本発明を完成するに至った。
【０００９】
すなわち、本発明に係る液体洗浄剤組成物は、下記一般式（１）で表される非イオン性界面活性剤（ａ１）、下記一般式（２）で表される非イオン性界面活性剤（ａ２）、および、下記一般式（３）で表されるアニオン性界面活性剤（ｂ）を含有するものである。
【００１０】
Ｒ１Ｏ−（ＰＯ）ｍ−（ＥＯ）ｎ−Ｈ    （１）
Ｒ２Ｏ−（ＰＯ）ｏ−〔（ＥＯ）ｐ／（ＰＯ）ｑ〕−Ｈ    （２）
Ｒ３Ｏ−（ＥＯ）ｒ−ＣＨ２ＣＯＯＮａ    （３）
【００１１】
式中、Ｒ１およびＲ２は、それぞれ炭素数８〜１４の直鎖または分岐のアルキル基またはアルケニル基を示し、Ｒ３は炭素数１０〜１８の直鎖または分岐のアルキル基またはアルケニル基を示す。ＰＯはオキシプロピレン基を示し、ＥＯはオキシエチレン基を示す。ｍ、ｎ、ｏ、ｐ、ｑおよびｒは、ＰＯまたはＥＯの平均付加モル数を示し、ｍは４〜８の数を、ｎは６〜２０の数を、ｏは４〜８の数を、ｐは６〜２０の数を、ｑは４〜８の数を、ｒは５〜１０の数をそれぞれ示す。また、（ＥＯ）ｐ／（ＰＯ）ｑはＥＯとＰＯの付加形態がランダム付加であることを意味する。
【発明の効果】
【００１２】
本発明によれば、洗浄性、起泡性及びすすぎ性に優れた液体洗浄剤組成物が得られる。
【発明を実施するための形態】
【００１３】
以下、本発明の実施に関連する事項について詳細に説明する。
【００１４】
＜非イオン性界面活性剤（ａ１）＞
本実施形態に係る液体洗浄剤組成物には、下記一般式（１）で表される非イオン性界面活性剤（ａ１）が配合される。 
Ｒ１Ｏ−（ＰＯ）ｍ−（ＥＯ）ｎ−Ｈ    （１）
【００１５】
式（１）中、Ｒ１は、炭素数８〜１４のアルキル基またはアルケニル基であり、直鎖でも分岐鎖でもよい。Ｒ１の炭素数が８〜１４であることにより、洗浄性に優れる。Ｒ１は、より好ましくは炭素数８〜１４のアルキル基である。なお、非イオン性界面活性剤（ａ１）は、Ｒ１の炭素数が単一の化合物であってもよく、炭素数が異なるものの混合物であってもよい。
【００１６】
式（１）中、ＰＯはオキシプロピレン基を示し、ＥＯはオキシエチレン基を示す。ＥＯとＰＯの付加形態はブロック付加であり、Ｒ１Ｏ−に対し、まず（ＰＯ）ｍが付加し、次いで（ＥＯ）ｎが付加した形態を有することにより、優れた洗浄性と起泡性を付与することができる。
【００１７】
式（１）中のｍは、ＰＯの平均付加モル数を示し、４〜８の数である。ＰＯの平均付加モル数ｍが４〜８であることにより、洗浄力と起泡性（噴霧時の泡立ち）に優れる。ｍは、より好ましくは４〜６である。
【００１８】
式（１）中のｎは、ＥＯの平均付加モル数を示し、６〜２０の数である。ＥＯの平均付加モル数ｎが６〜２０であることにより、液体洗浄剤組成物の製品安定性と起泡性（噴霧時の泡立ち）に優れる。ｎは、より好ましくは７〜１５であり、更に好ましくは８〜１２である。ｎはｍよりも大きいこと（ｎ＞ｍ）が好ましく、このことにより洗浄性と起泡性を向上することができる。
【００１９】
非イオン性界面活性剤（ａ１）の製造方法は特に限定されず、公知のポリオキシアルキレンアルキルエーテルの合成方法を利用して製造することができ、例えば、直鎖または分岐のアルコールに、アルカリ触媒または酸触媒を加えて８０〜１５０℃でプロピレンオキサイドを反応させ、続いて、８０〜１５０℃でエチレンオキサイドを反応させることにより得られる。
【００２０】
＜非イオン性界面活性剤（ａ２）＞
本実施形態に係る液体洗浄剤組成物には、下記一般式（２）で表される非イオン性界面活性剤（ａ２）が配合される。このように、本実施形態では、非イオン性界面活性剤として、２種類の特定のポリオキシアルキレンアルキル（又はアルケニル）エーテルを組み合わせる。 
Ｒ２Ｏ−（ＰＯ）ｏ−〔（ＥＯ）ｐ／（ＰＯ）ｑ〕−Ｈ    （２）
【００２１】
式（２）中、Ｒ２は、炭素数８〜１４のアルキル基またはアルケニル基であり、直鎖でも分岐鎖でもよい。Ｒ２の炭素数が８〜１４であることにより、洗浄性に優れる。Ｒ２は、より好ましくは炭素数８〜１４のアルキル基である。なお、非イオン性界面活性剤（ａ２）は、Ｒ２の炭素数が単一の化合物であってもよく、炭素数が異なるものの混合物であってもよい。
【００２２】
式（２）中、ＰＯはオキシプロピレン基を示し、ＥＯはオキシエチレン基を示す。（ＥＯ）ｐ／（ＰＯ）ｑはＥＯとＰＯの付加形態がランダム付加であることを意味し、（ＰＯ）ｏと〔（ＥＯ）ｐ／（ＰＯ）ｑ〕がブロック状に付加している。すなわち、Ｒ２Ｏ−に対し、まず（ＰＯ）ｏが付加し、次いでＥＯとＰＯのランダム鎖である〔（ＥＯ）ｐ／（ＰＯ）ｑ〕が付加した形態を有しており、これにより、優れた洗浄性と泡切れ性を付与することができる。
【００２３】
式（２）中のｏは、ＰＯの平均付加モル数を示し、４〜８の数である。ｏが４〜８であることにより、洗浄力と泡切れ性に優れる。ｏは、より好ましくは４〜６である。
【００２４】
式（２）中のｐは、ランダム鎖中でのＥＯの平均付加モル数を示し、ｑは、ランダム鎖中でのＰＯの平均付加モル数を示す。ｐは６〜２０の数であり、この範囲内に設定することにより、液体洗浄剤組成物の製品安定性と洗浄力に優れる。ｑは４〜８の数であり、この範囲内に設定することにより、泡切れ性に優れる。ｐは、より好ましくは８〜１８であり、更に好ましくは１０〜１６である。ＥＯの平均付加モル数であるｐは、式（２）中のＰＯの平均付加モル数の合計、即ちｏ＋ｑよりも大きいこと（ｐ＞ｏ＋ｑ）が好ましい。
【００２５】
非イオン性界面活性剤（ａ２）の製造方法は特に限定されず、公知のポリオキシアルキレンアルキルエーテルの合成方法を利用して製造することができ、例えば、直鎖または分岐のアルコールに、アルカリ触媒または酸触媒を加えて８０〜１５０℃でプロピレンオキサイドを反応させ、続いて、８０〜１５０℃でプロピレンオキサイドとエチレンオキサイドの混合物を反応させることにより得られる。
【００２６】
＜アニオン性界面活性剤（ｂ）＞
本実施形態に係る液体洗浄剤組成物には、下記一般式（３）で表されるアニオン性界面活性剤（ｂ）が配合される。 
Ｒ３Ｏ−（ＥＯ）ｒ−ＣＨ２ＣＯＯＮａ    （３）
【００２７】
式（３）中、Ｒ３は、炭素数１０〜１８のアルキル基またはアルケニル基であり、直鎖でも分岐鎖でもよい。Ｒ３の炭素数が１０〜１８であることにより、洗浄性が優れる。Ｒ３は、より好ましくは炭素数１２〜１６のアルキル基である。なお、アニオン性界面活性剤（ｂ）は、Ｒ３の炭素数が単一の化合物であってもよく、炭素数が異なるものの混合物であってもよい。
【００２８】
式（３）中、ＥＯはオキシエチレン基を示し、ｒはその平均付加モル数を示し、ｒ＝５〜１０の数である。ｒが５〜１０であることにより、製品安定性と洗浄性に優れる。ｒは、より好ましくは６〜８である。
【００２９】
アニオン性界面活性剤（ｂ）の製造方法は特に限定されず、公知のポリオキシエチレンアルキルエーテル酢酸ナトリウムの合成方法を利用して製造することができ、例えば、直鎖または分岐のアルコールに、アルカリ触媒または酸触媒を加えて８０〜１５０℃でエチレンオキサイドを反応させ、さらにクロロ酢酸ナトリウムを反応させることにより得られる。
【００３０】
＜液体洗浄剤組成物＞
本実施形態に係る液体洗浄剤組成物において、上記（ａ１）、（ａ２）および（ｂ）の３成分の配合割合は次のように設定されることが好ましい。すなわち、アニオン性界面活性剤（ｂ）１００質量部に対して、非イオン性界面活性剤（ａ１）を５〜１００質量部含有し、非イオン性界面活性剤（ａ２）を５〜１００質量部含有することが好ましい。このような配合量に設定することにより、洗浄力およびすすぎ性がより優れる。より好ましくは、アニオン性界面活性剤（ｂ）１００質量部に対して、非イオン性界面活性剤（ａ１）を１５〜６０質量部含有し、非イオン性界面活性剤（ａ２）を２０〜６０質量部含有することである。
【００３１】
非イオン性界面活性剤（ａ１）と（ａ２）の配合比は、質量比で、（ａ１）／（ａ２）＝１／０．３〜１／３  であることが好ましい。このような配合比に設定することにより、  スプレー時に泡もちが良く、さらに泡切れが良好となる。該配合比は、より好ましくは、（ａ１）／（ａ２）＝１／０．５  〜１／２である。
【００３２】
本実施形態に係る液体洗浄剤組成物において、上記（ａ１）、（ａ２）および（ｂ）の３成分の含有量は特に限定されないが、これら３成分（ａ１）、（ａ２）及び（ｂ）の合計で、４〜２０質量％含有することが好ましい。このような範囲内とすることにより、洗浄性とすすぎ性をより高めることができる。該含有量は、より好ましくは５〜１５質量％である。
【００３３】
＜金属封鎖剤（ｃ）＞
本実施形態に係る液体洗浄剤組成物は、更に金属封鎖剤（金属イオン封鎖剤とも称される。）（ｃ）を含有してもよい。金属封鎖剤（ｃ）を加えることにより、種々の汚れと複合した石鹸カス汚れに対してより一層充分な洗浄効果を得ることができる。金属封鎖剤（ｃ）の含有量は特に限定されないが、０．１〜１０質量％であることが好ましく、より好ましくは０．５〜５質量％である。０．１質量％以上加えることにより、金属封鎖剤（ｃ）による洗浄効果を高めることができ、また、１０質量％以下とすることにより、洗浄後のすすぎ性の低下を抑えることができる。
【００３４】
金属封鎖剤（ｃ）としては、一般に洗浄剤に使用されるものが挙げられ、特に限定されないが、例えば、有機カルボン酸類、アミノカルボン酸類、ホスホン酸類、ホスホノカルボン酸類、リン酸類等が挙げられる。
【００３５】
有機カルボン酸類としては、例えば、酢酸、アジピン酸、モノクロル酢酸、シュウ酸、コハク酸、オキシジコハク酸、カルボキシメチルコハク酸、カルボキシメチルオキシコハク酸等、またグリコール酸、ジグリコール酸、乳酸、酒石酸、カルボキシメチル酒石酸、クエン酸、リンゴ酸、グルコン酸等のヒドロキシカルボン酸等が挙げられる。
【００３６】
アミノカルボン酸類としては、例えば、ニトリロトリ酢酸、イミノジ酢酸、エチレンジアミンテトラ酢酸、ジエチレントリアミノペンタ酢酸、Ｎ−ヒドロキシエチルエチレンジアミン酢酸、エチレングリコールジエーテルジアミンテトラ酢酸、トリエチレンテトラヘキサ酢酸、エチレングリコールジエーテルジアミンテトラ酢酸、ヒドロキシエチルイモノジ酢酸、シクロヘキサン−１，２−ジアミンテトラ酢酸、メチルグリシンジ酢酸等が挙げられる。
【００３７】
ホスホン酸類としては、例えば、エタン−１，１−ジホスホン酸、エタン−１，１，２−トリホスホン酸、１−ヒドロキシエタン−１，１−ジホスホン酸及びその誘導体、１−ヒドロキシエタン−１，１，２−トリホスホン酸、エタン−１，２−ジカルボキシ−１，２−ジホスホン酸、メタンヒドロキシホスホン酸、アミノトリメチレンホスホン酸等が挙げられる。
【００３８】
ホスホノカルボン酸類としては、例えば、２−ホスホノブタン−１，２−ジカルボン酸、１−ホスホノブタン−２,３,４-トリカルボン酸、α―メチルホスホノコハク酸等が挙げられる。
【００３９】
リン酸類としては、例えば、オルソリン酸、ピロリン酸、トリポリリン酸、メタリン酸、ヘキサメタリン酸、フィチン酸等の縮合リン等が挙げられる。
【００４０】
これらの金属封鎖剤は、酸の形であってもよいし、ナトリウムやカリウムなどのアルカリ金属との塩、モノエタノールアミン、ジエタノールアミン、トリエタノールアミンなどのアルカノールアミンとの塩等、塩基性物質との塩の形であってもよい。これらの金属封鎖剤は１種のみで使用しても構わないし、２種以上を使用しても構わない。なお、金属封鎖剤としては、酸の形で添加したものが、アルカリ剤を用いて洗浄剤組成物のｐＨを調整することにより、塩の形となったものであってもよい。
【００４１】
＜溶剤（ｄ）＞
本実施形態に係る液体洗浄剤組成物は、更に溶剤（ｄ）を含有してもよい。溶剤（ｄ）を加えることにより、汚れに対してより一層充分な洗浄効果を得ることができる。溶剤（ｄ）の含有量は特に限定されないが、０．５〜１５質量％であることが好ましく、より好ましくは１〜１０質量％である。０．５質量％以上加えることにより、溶剤（ｄ）による洗浄効果を高めることができ、また、１５質量％以下とすることにより、浴室もしくは浴槽に対する悪影響を抑えることができる。
【００４２】
溶剤（ｄ）としては、通常のアルコール系有機溶剤を用いることが可能であり、一価アルコール、二価アルコール、三価以上のアルコール及びアルコキシアルコール類などが挙げられる。これらの具体的な例としては、エタノール、プロパノール、イソプロパノール、３−メチル−３−メトキシ−１−ブタノール、ベンジルアルコールなどの一価アルコール、エチレングリコール、プロピレングリコール、１，３−ブタンジオール、１，４−ブタンジオール、ジエチレングリコール、トリエチレングリコール、テトラエチレングリコール、ジプロピレングリコール、トリプロピレングリコール、ヒドロキシエチルフェノールなどの二価アルコール、グリセリン、ショ糖、ブドウ糖、ソルビトール、ソルビタンなどの三価以上のアルコールが挙げられる。また、アルコキシアルコールとして、エチルセロソルブ、プロピルセロソルブ、ブチルセロソルブ、エチルカルビトール、プロピルカルビトール、ブチルカルビトール、ヘキシルカルビトール、エチレングリコールベンジルエーテルなどが挙げられる。これらのアルコール系有機溶剤は１種のみで使用しても構わないし、２種以上を使用しても構わない。
【００４３】
＜その他の成分＞
本実施形態に係る液体洗浄剤組成物には、その基剤成分として水が使用される。即ち、本実施形態の液体洗浄組成物において、上記（ａ１）、（ａ２）および（ｂ）の３成分、任意成分である金属封鎖剤（ｃ）および溶剤（ｄ）、並びに、必要に応じて添加される他の配合成分を除く残部は、通常は水である。
【００４４】
本実施形態に係る液体洗浄剤組成物には、その他、ｐＨ調整剤、香料、色素、粘度調整剤、表面改質剤、酸化防止剤、紫外線吸収剤、防腐剤、防かび剤などの添加剤を配合してもよい。ｐＨ調整剤としては、水酸化ナトリウム、水酸化カリウム、アルカノールアミンなどのアルカリ剤や、塩酸や硫酸などの無機酸、パラトルエンスルホン酸、メタキシレンスルホン酸、安息香酸などが挙げられる。
【００４５】
本実施形態に係る液体洗浄剤組成物のｐＨは特に限定されないが、２５℃におけるｐＨが５〜９であることが好ましく、より好ましくは６〜８である。
【００４６】
本実施形態に係る液体洗浄剤組成物は、脂肪酸カルシウム塩などの金属石鹸を主体とする汚れに対して優れた洗浄力と泡立ちを有し、しかも泡切れがよくてすすぎ性に優れる。そのため、本実施形態に係る液体洗浄剤組成物は、洗面台、浴室、浴槽などを洗浄するための浴室用洗浄剤をはじめとして、各種硬質表面を洗浄するための硬質表面用洗浄剤として好適に用いることができる。
【００４７】
本実施形態に係る液体洗浄剤組成物を用いた洗浄方法は、特に限定されず、例えば浴室用として使用する場合、スポンジなどに該組成物を含浸させて、浴室や浴槽内の被洗浄面を擦り洗いした後、あるいはまたは、被洗浄面に該組成物をスプレーし、スポンジなどを用いて擦り洗いするか又は擦り洗いせずに放置した後、水ですすげばよい。
【実施例】
【００４８】
以下、実施例により本発明を更に詳細に説明するが、本発明はこれらに限定されるものではない。
【００４９】
下記表１および表２に示す配合（質量％）に従い、各成分を混合し、水酸化カリウムを用いてｐＨを７．５に調整することにより液体洗浄剤組成物を得た。なお、ｐＨの測定は、２５℃に調温し、ガラス電極式ｐＨメーター（株式会社堀場製作所製「ｐＨ  ＭＥＴＥＲ  Ｆ−２２」）を用いて行った。
【００５０】
表１および表２中の各成分の詳細は以下の通りである。
【００５１】
・ａ１−１（非イオン性界面活性剤）：
Ｃ８アルコール（商品名：オクタノール、協和発酵ケミカル社製）１モルに、プロピレンオキサイド６モル及びエチレンオキサイド１０モルをこの順で付加した、上記式（１）で表される化合物（式（１）中、Ｒ１：炭素数８のアルキル基、ｍ＝６、ｎ＝１０）。
【００５２】
・ ａ１−２（非イオン性界面活性剤）：
Ｃ１２，Ｃ１４アルコール（商品名：コノール１２７５、新日本理化社製）１モルに、プロピレンオキサイド４モル及びエチレンオキサイド１０モルをこの順で付加した、上記式（１）で表される化合物（式（１）中、Ｒ１：炭素数１２，１４のアルキル基、ｍ＝４、ｎ＝１０）。
【００５３】
・ａ１−３（非イオン性界面活性剤）：
Ｃ１３アルコール（商品名：トリデカノール、協和発酵ケミカル社製）１モルに、プロピレンオキサイド６モル及びエチレンオキサイド２０モルをこの順で付加した、上記式（１）で表される化合物（式（１）中、Ｒ１：炭素数１３のアルキル基、ｍ＝６、ｎ＝２０）。
【００５４】
・ａ１−４（非イオン性界面活性剤）：
Ｃ８アルコール（商品名：オクタノール、協和発酵ケミカル社製）１モルに、プロピレンオキサイド６モル及びエチレンオキサイド８モルをこの順で付加した、上記式（１）で表される化合物（式（１）中、Ｒ１：炭素数８のアルキル基、ｍ＝６、ｎ＝８）。
【００５５】
・ａ２−１（非イオン性界面活性剤）：
Ｃ８アルコール（商品名：オクタノール、協和発酵ケミカル社製）１モルに、プロピレンオキサイド６モルを付加し、さらにプロピレンオキサイド６モルとエチレンオキサイド１５モルの混合物をランダム付加させた、上記式（２）で表される化合物（式（２）中、Ｒ２：炭素数８のアルキル基、ｏ＝６、ｐ＝１５、ｑ＝６）。
【００５６】
・ａ２−２（非イオン性界面活性剤）：
Ｃ９〜Ｃ１１アルコール（商品名：ネオドール９１、シェルケミカルズジャパン社製）１モルにプロピレンオキサイド４モルを付加し、さらにプロピレンオキサイド６モルとエチレンオキサイド１５モルの混合物をランダム付加させた、上記式（２）で表される化合物（式（２）中、Ｒ２：炭素数９〜１１のアルキル基、ｏ＝４、ｐ＝１５、ｑ＝６）。
【００５７】
・ａ２−３（非イオン性界面活性剤）：
Ｃ８アルコール（商品名：オクタノール、協和発酵ケミカル社製）１モルにプロピレンオキサイド４モルを付加し、さらにエチレンオキサイド９モルとプロピレンオキサイド４モルの混合物をランダム付加させた、上記式（２）で表される化合物（式（２）中、Ｒ２：炭素数８のアルキル基、ｏ＝４、ｐ＝９、ｑ＝４）。
【００５８】
・ａ’−１（非イオン性界面活性剤）：
ラウリルアルコール１モルにエチレンオキサイド１０モル付加させた化合物。
【００５９】
・ａ’−２（非イオン性界面活性剤）：
Ｃ８アルコール（商品名：オクタノール、協和発酵ケミカル社製）１モルに、エチレンオキサイド８モル及びプロピレンオキサイド６モルをこの順で付加した化合物。
【００６０】
・ａ’−３（非イオン性界面活性剤）：
Ｃ８アルコール（商品名：オクタノール、協和発酵ケミカル社製）１モルに、エチレンオキサイド１０モル及びプロピレンオキサイド６モルをランダム付加した化合物。
【００６１】
・ａ’−４（非イオン性界面活性剤）：
Ｃ９〜Ｃ１１アルコール（商品名：ネオドール９１、シェルケミカルズジャパン社製）１モルにプロピレンオキサイド６モルとエチレンオキサイド１２モルの混合物をランダム付加させ、その後、さらにプロピレンオキサイド４モルを付加した化合物。
【００６２】
・ｂ−１（アニオン性界面活性剤）：
Ｃ１２〜１４アルコール（商品名：カルコール２０９８、花王社製）１モルに、エチレンオキサイド７モル付加し、さらに、クロロ酢酸ナトリウム１モルを反応させて得られた、上記式（３）で表される化合物（式（３）中、Ｒ３：炭素数１２〜１４のアルキル基、ｒ＝７）。
【００６３】
・ｂ−２（アニオン性界面活性剤）：
Ｃ１２〜１４アルコール（商品名：カルコール２０９８、花王社製）１モルに、エチレンオキサイド９モル付加し、さらに、クロロ酢酸ナトリウム１モルを反応させて得られた、上記式（３）で表される化合物（式（３）中、Ｒ３：炭素数１２〜１４のアルキル基、ｒ＝９）。
【００６４】
・ｂ’−１（アニオン性界面活性剤）：ヤシ脂肪酸カリウム
・ｂ’−２（アニオン性界面活性剤）：ドデシルベンゼンスルホン酸ナトリウム
・ｃ−１（金属封鎖剤）：エチレンジアミン四酢酸
・ｄ−１（溶剤）：ジエチレングリコールモノブチルエーテル。
【００６５】
得られた洗浄剤組成物について、洗浄性、起泡性、及びすすぎ性を下記の方法で行った。結果を表１および表２に示す。
【００６６】
［１］洗浄性（湯垢汚れに対する洗浄力試験）
擦った程度では容易に除去できない湯垢汚れが付着したポリプロピレン製の風呂桶（実家庭で２週間使用品）を、液体洗浄剤組成物（原液）を１０ｍＬ含浸させたウレタン製のスポンジにて１０ｇ／ｃｍ２ の荷重をかけながら約５回往復してこすり、汚れの除去状態を下記の基準で視覚判定した。判定基準は次の通りである。 
◎：汚れ落ちが非常に良好
○：汚れ落ちが良好
×：明らかに汚れが残る
【００６７】
［２］起泡性（泡立ち性試験）
ＦＲＰ製の浴槽内（９５×８０×７０ｃｍ）に、洗浄剤組成物１０ｍＬをスプレーし、ウレタン製スポンジを用いて、約１０ｇ／ｃｍ２ の荷重をかけながら浴槽の内側全面を円を描くように擦った際の泡の状態を下記の評価基準で視覚評価した。 
◎：泡立ちが非常に良好
○：泡立ちが良好
×：若干泡立つ程度
【００６８】
［３］すすぎ性
上記泡立ち性評価方法により泡を立てた後、シャワーを用いて水道水（温度２５℃、流量１０Ｌ／分）で濯ぎを開始し、泡が完全に消失し、濯ぎが終了するまでの時間を測定した。 
◎：濯ぎ時間が３０秒以上７０秒未満
○：濯ぎ時間が７０秒以上１１０秒未満
×：濯ぎ時間が１１０秒以上
【００６９】
【表１】
2014196440.tif 000002
【００７０】
【表２】
2014196440.tif 000003
【００７１】
結果は、表１および表２に示す通りであり、上記（ａ１）、（ａ２）及び（ｂ）の３成分を含有する実施例１〜１２の洗浄剤組成物であると、湯垢汚れに対する洗浄力、泡立ち性、すすぎ性のいずれについても優れた性能を有していた。
【００７２】
これに対し、比較例１では、上記非イオン性界面活性剤（ａ２）を含有していないため、すすぎ性に劣っていた。比較例２では、上記非イオン性界面活性剤（ａ１）を含有していないため、洗浄性に劣っていた。比較例３では、アニオン性界面活性剤として上記（ｂ）の代わりにドデシルベンゼンスルホン酸ナトリウム（ｂ’−２）を用いたため、すすぎ性に劣っていた。比較例４では、アニオン性界面活性剤として上記（ｂ）の代わりにヤシ脂肪酸カリウム（ｂ’−１）を用いたため、洗浄性と起泡性に劣っていた。比較例５では、非イオン性界面活性剤（ａ１）の代わりにポリオキシエチレンラウリルエーテル（ａ’−１）を用いたため、洗浄性に劣り、また起泡性とすすぎ性のバランスも不十分であった。比較例６では、非イオン性界面活性剤（ａ２）の代わりにポリオキシエチレンラウリルエーテル（ａ’−１）を用いたため、すすぎ性に劣っていた。比較例７では、（ａ１）の代わりに、ＰＯとＥＯの付加順序が逆の非イオン性界面活性剤（ａ’−２）を用いたため、洗浄性と起泡性に劣っていた。比較例８では、（ａ１）の代わりに、ＰＯとＥＯをランダム付加した非イオン性界面活性剤（ａ’−３）を用いたため、洗浄性に劣っていた。比較例９では、（ａ２）の代わりに、（ＰＯ）ｏと〔（ＥＯ）ｐ／（ＰＯ）ｑ〕の付加順序が逆の非イオン性界面活性剤（ａ’−４）を用いたため、洗浄性に劣っていた。
【産業上の利用可能性】
【００７３】
本発明に係る液体洗浄剤組成物は、例えば、洗面台、浴室、浴槽などの硬質表面を洗浄するための洗浄剤として用いることができる。